(57)【特許請求の範囲】
【請求項１】
前面が開放された箱型部材である筐体部材と、
前記筐体部材に取付けられた温度調整装置と、
発光素子を有し、前記筐体部材の庫内天面の前方に取付けられた照明装置と、
Ｌ字状の金属板から成り、前記筐体部材の庫内天面及び庫内奥面に対して対流可能な隙間を設けられて前記温度調整装置の伝熱面に接合された伝熱板とを備え、
前記照明装置は、
電源が投入された状態において前記温度調整装置の運転を切替える自己復帰型のプッシュスイッチを有するとともに、前記筐体部材の庫内天面に対向配置された前記伝熱板の面の位置までの範囲内で、当該庫内天面から突出した
ことを特徴とする保存庫。
【請求項２】
前記照明装置は、
前記発光素子及び前記プッシュスイッチが実装され、前記照明装置が前記筐体部材に取付けられた状態において当該発光素子が当該筐体部材の庫内奥面側を向くように、斜めに配置された配線基板を有する
ことを特徴とする請求項１記載の保存庫。
【請求項３】
前記照明装置は、
前記照明装置が前記筐体部材に取付けられた状態において、上方向に押されることで前記配線基板に実装されて斜めに配置された前記プッシュスイッチを押す押し棒を有する
ことを特徴とする請求項２記載の保存庫。
【請求項４】
前記押し棒は、前記プッシュスイッチを押す端部が球状に構成され、当該端部が当該プッシュスイッチに触れた際に当該プッシュスイッチの中心位置に触れる位置に配置された
ことを特徴とする請求項３記載の保存庫。
【請求項５】
前記照明装置は、
前記発光素子に被せられ、当該発光素子により発光された光を透過する光透過部と、
前記照明装置が前記筐体部材に取付けられた状態において、前記光透過部を当該筐体部材の庫内底面及び庫内奥面に露出させる開口部を有する基板収納容器とを有する
ことを特徴とする請求項１から請求項４のうちのいずれか１項記載の保存庫。
【請求項６】
前記プッシュスイッチは、前記温度調整装置及び前記発光素子の運転を連動して切替える
ことを特徴とする請求項１から請求項５のうちのいずれか１項記載の保存庫。
【請求項７】
収容量が１０〜４０リットルである
ことを特徴とする請求項１から請求項６のうちのいずれか１項記載の保存庫。
【請求項８】
請求項１から請求項７のうちのいずれか１項記載の保存庫からなり、前記温度調整装置にペルチェ素子を使用して保冷を行うことを特徴とする電子冷蔵庫。
【発明の詳細な説明】
【技術分野】
【０００１】
この発明は、小型の保存庫及びこの保存庫を用いた電子冷蔵庫に関するものである。
【背景技術】
【０００２】
従来から、ホテル又は病院等で使用されるペルチェ素子を有する小型の電子冷蔵庫が知られている（例えば特許文献１参照）。また、この電子冷蔵庫において、前面に設けられたロッカースイッチを用いて、ペルチェ素子による冷却運転を切替え可能とするものが存在する。このロッカースイッチにより、電子冷蔵庫の電源を抜き差しすることなく冷却運転を切替えることができ、節電に寄与することができる。
【先行技術文献】
【特許文献】
【０００３】
【特許文献１】特開２０００−３０４４０１号公報
【発明の概要】
【発明が解決しようとする課題】
【０００４】
しかしながら、ロッカースイッチは自己保持型のスイッチであり、電源の抜き差しに関係なく、ロッカースイッチがオフの場合には冷却運転が停止されることになる。一方、一般的な冷蔵庫では、ロッカースイッチは存在せず、電源を抜き差しで運転を切替えている。そのため、ホテル又は病院等のスタッフ等がロッカースイッチを入れ忘れた場合や、電子冷蔵庫に慣れていない使用者等が誤ってロッカースイッチをオフにしてしまった場合等では、使用者等が電源を抜き差ししても冷却運転を再開させることができず、クレームが発生する恐れがあるという課題があった。また、上記ロッカースイッチに代えて、人の存在を検知する光センサを用いて、人が存在する場合に冷却運転をさせる電子冷蔵庫も存在するが、コストが高いという課題があった。
【０００５】
この発明は、上記のような課題を解決するためになされたもので、安価な構成で、電源を抜き差しすることなく運転を切替えることができ、且つ電源を投入した際には運転を開始させることができる保存庫を提供することを目的としている。
【課題を解決するための手段】
【０００６】
この発明に係る保存庫は、前面が開放された箱型部材である筐体部材と、筐体部材に取付けられた温度調整装置と、発光素子を有し、筐体部材の庫内天面の前方に取付けられた照明装置と、Ｌ字状の金属板から成り、筐体部材の庫内天面及び庫内奥面に対して対流可能な隙間を設けられて温度調整装置の伝熱面に接合された伝熱板とを備え、照明装置は、電源が投入された状態において温度調整装置の運転を切替える自己復帰型のプッシュスイッチを有するとともに、筐体部材の庫内天面に対向配置された伝熱板の面の位置までの範囲内で、当該庫内天面から突出したものである。
【発明の効果】
【０００７】
この発明によれば、上記のように構成したので、安価な構成で、電源を抜き差しすることなく運転を切替えることができ、且つ電源を投入した際には運転を開始させることができる。
【図面の簡単な説明】
【０００８】
【図１】この発明の実施の形態１に係る電子冷蔵庫の構成例を示す図であり、（ａ）正面図であり、（ｂ）側面図である。
【図２】この発明の実施の形態１に係る電子冷蔵庫（前面扉を除く）の構成例を示す分解斜視図である。
【図３】この発明の実施の形態１に係る電子冷蔵庫の前面扉を開いた状態を示す図であり、（ａ）正面図であり、（ｂ）下から見た斜視図である。
【図４】この発明の実施の形態１に係る電子冷蔵庫の構成例を示す図であり、（ａ）前面扉及び棚を取除いた状態を示す正面図であり、（ｂ）前面扉、棚及び伝熱板を取除いた状態を示す正面図である。
【図５】この発明の実施の形態１に係る電子冷蔵庫の構成例を示す図であり、（ａ）背面カバーを取付けた状態を示す背面図であり、（ｂ）背面カバーを取外した状態を示す背面図である。
【図６】この発明の実施の形態１に係る電子冷蔵庫の構成例を示す図であり、（ａ）図１（ａ）のＡ−Ａ線断面図であり、（ｂ）（ａ）のＢ部拡大図である。
【図７】この発明の実施の形態１に係る電子冷蔵庫の構成例を示す図であり、（ａ）図４（ａ）のＣ−Ｃ線断面図であり、（ｂ）Ｃ−Ｃ線断面斜視図である。
【図８】この発明の実施の形態１に係る電子冷蔵庫の構成例を示す図であり、（ａ）図１（ｂ）のＤ−Ｄ線断面図であり、（ｂ）図４（ａ）のＥ−Ｅ線断面図であり、（ｃ）Ｅ−Ｅ線断面斜視図である。
【図９】この発明の実施の形態１における伝熱板の構成例を示す斜視図である。
【図１０】この発明の実施の形態１における伝熱板による効果を説明する図であり、（ａ）従来の断熱容器による熱漏洩のイメージを示す図であり、（ｂ）本発明の断熱容器による熱漏洩のイメージを示す図である。
【図１１】この発明の実施の形態１における露受け皿の構成例を示す図であり、（ａ）表側から見た斜視図であり、（ｂ）裏側から見た斜視図である。
【図１２】この発明の実施の形態１における露受け皿の着脱動作を示す斜視図である。
【図１３】この発明の実施の形態１に係る電子冷蔵庫を家具に収納した状態を示す図であり、（ａ）斜視図であり、（ｂ）正面図であり、（ｃ）（ｂ）のＦ−Ｆ線断面図である。
【図１４】この発明の実施の形態１における照明装置の構成例を示す図であり、（ａ）斜視図であり、（ｂ）（ａ）のＧ−Ｇ線断面図である。
【図１５】この発明の実施の形態１における照明装置の構成例を示す図であり、（ａ）表側から見た分解斜視図であり、（ｂ）裏側から見た分解斜視図である。
【図１６】この発明の実施の形態１における照明装置の構成例を示す回路図である。
【図１７】この発明の実施の形態１に係る電子冷蔵庫の動作例を説明するフローチャートである。
【図１８】この発明の実施の形態１における電源基板の構成例を示すブロック図である。
【図１９】図１８の電源基板の動作例を説明する図であり、（ａ）動作概要を示す図であり、（ｂ）各部の動作を示すタイムチャートである。
【図２０】この発明の実施の形態１における制御回路の構成例を示すブロック図である。
【図２１】この発明の実施の形態１における制御回路及び電源回路による温度調整装置の制御動作例を示すフローチャートである。
【図２２】この発明の実施の形態１における制御回路及び電源回路による温度調整装置の制御動作例を示す図である。
【図２３】この発明の実施の形態１における電源基板の別の構成例を示すブロック図である。
【図２４】図２３の電源基板の動作例を説明する図であり、（ａ）動作概要を示す図であり、（ｂ）各部の動作を示すタイムチャートである。
【発明を実施するための形態】
【０００９】
以下、この発明の実施の形態について図面を参照しながら詳細に説明する。
実施の形態１．
電子保存庫は、静かでコンパクトなサイズの１個のペルチェ素子９１を使用して保冷又は保温を行う小型（収容量が１０〜４０リットル程度）の装置である。以下では、電子保存庫として、保冷を行う電子冷蔵庫を例にして説明を行う。
この電子冷蔵庫は、図１〜３等に示すように、断熱容器１、前面扉２、ヒンジ機構３及び回転機構４を備えている。
【００１０】
断熱容器１は、前面が開放された箱型部材であり、内部に収納物（食品、飲料等）が収容されるものである。ここでは、２リットルのペットボトルを収納可能な庫内寸法のものを想定している。
【００１１】
また、図３等に示すように、断熱容器１の前面上部には、左右に、ヒンジ機構３を取付け可能とする挿入口５１が設けられている。また、ヒンジ機構３が取付けられない挿入口５１にはカバー５２が被せられて隠蔽される。
また、図２等に示すように、断熱容器１の左右の前脚部６４には、回転機構４を取付け可能とする挿入穴６４１が設けられている。なお、回転機構４が取付けられない挿入穴６４１にはキャップ（不図示）が被せられて隠蔽される。
また、図３等に示すように、断熱容器１の前面には、枠状にガスケット密着面５３が設けられている。この断熱容器１のその他の詳細構成例については後述する。
【００１２】
前面扉２は、左右一方に取付けられたヒンジ機構３及び回転機構４が断熱容器１の左右一方の挿入口５１及び挿入穴６４１にそれぞれ取付けられることで、断熱容器１の前面を開閉可能とするものである。この前面扉２の内部には、発泡ウレタン等の断熱材（不図示）が注入される。
また、図３等に示すように、前面扉２の背面には、断熱容器１のガスケット密着面５３に対向して、枠状にガスケット２１が設けられている。また、前面扉２の背面には、図６（ｂ）に示すように、マグネット２２が取付けられている。このマグネット２２は、前面扉２を閉じた状態において、後述する照明装置１３のリードスイッチ１３１２に磁界を加えて、接点接続を切替えさせるものである。
【００１３】
ヒンジ機構３は、前面扉２を断熱容器１に対して回動自在に上部で支持するものである。
回転機構４は、前面扉２を断熱容器１に対して回動自在に下部で支持するものである。      
【００１４】
次に、断熱容器１の構成例について説明する。
断熱容器１は、図２〜８等に示すように、内郭部材５及び外郭部材６から成る筐体部材７、伝熱板８、ペルチェ素子９１を有する温度調整装置９、背面カバー１０、送風ファン１１、露受け皿１２、照明装置１３、及び電源基板１４を収納した基板収納箱１５を有している。
【００１５】
内郭部材５は、樹脂部材（ポリプロピレン等）から成る前面が開放された箱型部材であり、内部に収納物を収納可能とするものである。
また、図４（ｂ）等に示すように、内郭部材５の庫内奥面には、伝熱板８を収容可能な一段奥まった収容溝部５４が設けられている。なお、図６（ａ）等に示すように、収容溝部５４の深さは、伝熱板８が取付けられた状態において、電子冷蔵庫の庫内奥面が略面一となるような深さに構成されている。また、図４（ｂ）等に示すように、収容溝部５４には、伝熱板８を支持する支持部５５が一体に設けられている。また、図７等に示すように、内郭部材５の庫内天面の前方には、照明装置１３を取付けるための取付け部５６が設けられている。また、図３等に示すように、内郭部材５には棚５７を設置するための溝部５８が設けられている。
【００１６】
外郭部材６は、前面が開放された箱型部材であり、断熱容器１の外郭を構成するものである。この外郭部材６は、図２等に示すように、下面及び左右側面を構成する外郭板金６１と、上面を構成する天板６２と、背面を構成する背面板６３と、外郭板金６１の下面前方の左右に取付けられる前脚部６４とを有している。また、背面板６３の下面の左右には後脚部６５が設けられている。なお、前脚部６４及び後脚部６５には、露受け皿１２をスライド自在に支持するための段差部６４２，６５１が設けられており、前脚部６４及び後脚部６５はそれぞれ互いの段差部６４２，６５１が向き合うように配置されている。また、背面板６３には、筐体部材７の内部に発泡ウレタン等の断熱材７３（図１０参照）を注入するための注入口６６が設けられている。
【００１７】
また、図６（ａ）等に示すように、筐体部材７の背面には、挿入孔７１が設けられている。この挿入孔７１は、温度調整装置９の後述する伝熱ブロック９２を内郭部材５の内部にまで挿入するためのものである。また、図８に示すように、筐体部材７の下面には排水筒７２が設けられている。この排水筒７２は、内郭部材５の内面に付着したドレン水を露受け皿１２に導くためのものである。また、この排水筒７２は、庫内底面の中心に対して側面寄り（図８では右側面寄り）の位置に配置されている。
【００１８】
伝熱板８は、内郭部材５の内部に取付けられ、温度調整装置９からの熱を庫内に伝えるものである。この伝熱板８の詳細構成例については後述する。
【００１９】
温度調整装置９は熱を発生するものである。この温度調整装置９は、図２等に示すように、ペルチェ素子９１、伝熱ブロック９２及びヒートシンク９３を有している。
ペルチェ素子９１は、電源基板１４による制御（駆動電圧）に従って熱を発生するものである。
【００２０】
伝熱ブロック９２は、一面がペルチェ素子９１の利用側熱交換面に取付けられ、他面（伝熱面）が挿入孔７１を介して伝熱板８の裏面に固定ネジ９４等により接合されるものである。なお、ペルチェ素子９１は、伝熱ブロック９２に対し、ネジ等により裏面から着脱自在に構成されている。この伝熱ブロック９２は、熱伝導性のよいアルミ系合金から構成される。この伝熱ブロック９２により、ペルチェ素子９１の利用側熱交換面から伝熱面への伝熱が可能となる。なお、図８（ｃ）等に示すように、伝熱ブロック９２には、挿入孔７１を介して筐体部材７に取付けられた後、結露水の伝熱面への侵入を防止するためのゴム板９５が嵌められる。なお、ゴム板９５の板厚は３ｍｍ程度である。
【００２１】
ヒートシンク９３は、ペルチェ素子９１の熱源側熱交換面と熱伝導的に接合されたものである。このヒートシンク９３は、上下方向に空気を流通させて熱交換させるように、多数のアルミフィンが縦方向に配置されて構成されている。
【００２２】
図５，６等に示すように、背面カバー１０は、樹脂部材から成る前面が開放された箱型部材であり、外郭部材６の背面全体を覆うように取付けられるものである。この背面カバー１０は、外郭部材６の背面に取付けられた基板収納箱１５を収納するとともに、外郭部材６の背面にヒートシンク９３を冷却するための通風路１０１を形成するものである。図６（ａ）等に示すように、この背面カバー１０は、下面が、後方に向かうに従って上方に傾斜している。また、上面が、後方に向かうに従って下方に傾斜している。そして、背面カバー１０の下面に、外部の空気を吸い込む吸込口１０２が設けられている。また、背面カバー１０の上面に、通風路１０１を通過した空気を外部に排出する排気口１０３が設けられている。
【００２３】
このように、吸込口１０２を後方に向かって上方に傾斜させることで、電子冷蔵庫の設置面（床面）と吸込口１０２との距離を離すことができる。その結果、外気を吸い込む風路抵抗を少なくすることができ、また、設置面から埃等の異物を吸い込むことを抑制でき、後述するフィルタ１２６の目詰まりを抑制してフィルタ１２６の清掃等のメンテナンスを容易にすることができる。
【００２４】
送風ファン１１は、排気口１０３の内側に対向して吸込口１０２と排気口１０３との間に配置され、電源基板１４による制御（駆動電圧）に従ってファンを回転させるものである。また、送風ファン１１は、電子冷蔵庫の設置面に対して斜めに配置されている。電子冷蔵庫の上部に配置された送風ファン１１により、電子冷蔵庫の下方の吸込口１０２から吸い込まれた空気がヒートシンク９３及び基板収納箱１５を通って熱交換され、上方の排気口１０３から排出される。
ここで、送風ファン１１を電子冷蔵庫の上部に配置することで、送風ファン１１から吸込口１０２までの距離を長くすることができ、吸込口１０２から吸い込む吸気の風速が強くなりすぎないように設定できるため、埃等の異物の吸い込みを更に抑制することができる。
【００２５】
露受け皿１２は、筐体部材７の下面に前方から着脱自在に設けられ、排水筒７２を介して流れたドレン水を受ける樹脂部材から成る皿である。この露受け皿１２の詳細構成例については後述する。
【００２６】
照明装置１３は、ＬＥＤ（発光素子）１３１１を有し、内郭部材５の庫内天面の前方に取付けられて、庫内を照らすものである。また、この照明装置１３は、各部（温度調整装置９、送風ファン１１及びＬＥＤ１３１１）の運転を連動して切替える運転スイッチ機能も備えている。この照明装置１３の詳細構成例については後述する。
【００２７】
基板収納箱１５は、電子冷蔵庫の各部の動作を制御する電源基板１４を収納し、外郭部材６の背面に取付けられるものである。この基板収納箱１５に収納された電源基板１４の詳細構成例については後述する。
【００２８】
次に、伝熱板８の構成例について説明する。
伝熱板８は、内郭部材５の内部に取付けられ、温度調整装置９からの熱を庫内に伝えるものである。この伝熱板８は、図９等に示すように、アルミ等の金属板が折り曲げられてＬ字状に構成されている。また、伝熱板８には、固定ネジ９４を通すネジ穴８１と、支持部５５を通す支持穴８２とがそれぞれ設けられている。
【００２９】
また、伝熱板８は、直角ではなく、若干鈍角（９３〜１００°）に折り曲げられている。これにより、金属板を直角に折り曲げて伝熱板８を構成する場合よりも、寸法精度を安定させることができる。
【００３０】
また、伝熱板８の左右の幅は、内郭部材５の収容溝部５４の左右の幅に対して、当該収容溝部５４に収容された際に隙間（１〜３ｍｍ）を有する寸法に構成されている。これにより、伝熱板８を内郭部材５に取付けやすくでき、また、ホテル又は病院等のスタッフ等が電子冷蔵庫の清掃等を行う場合に伝熱板８の角に触れて清掃が行い難いというようなことがないように構成できる。
【００３１】
また、図６（ａ）等に示すように、伝熱板８の上面の長さは、内郭部材５の庫内天面の長さに対して短く構成されている。これは、伝熱板８の上面が電子冷蔵庫の開放面近くまで延びていると伝熱板８が庫外の熱を庫内に伝熱してしまい、却って冷却効果が低減してしまうからである。なお図では、照明装置１３との干渉を防ぐため、伝熱板８の上面の長さは、照明装置１３の位置よりも奥側となる長さに構成されている。
また、伝熱板８及び内郭部材５の内面を黒等の濃色とすることで、見栄えをよくすることができる。
【００３２】
そして、上記のように構成された伝熱板８は、図８，９等に示すように、支持穴８２に支持部５５が通され、ネジ穴８１に固定ネジ９４が通されて温度調整装置９の伝熱ブロック９２が接合される。またこの際、伝熱板８は、内郭部材５の庫内天面及び庫内奥面に対して、冷却対流可能な隙間（２〜６ｍｍ）を設けて取付けられる。なお、この隙間が広いほど冷却対流が良好となるが、広くしすぎると庫内面積が狭くなる。また、スタッフ等が清掃等を行う際に伝熱板８の裏側に指が入ってしまい清掃が行い難いというようなことがないようにする必要がある。そのため、これらを考慮して伝熱板８と内郭部材５との間の隙間寸法が設計される。また、支持部５５は、伝熱板８と内郭部材５との間の空間保持と、輸送振動等によって固定ネジ９４に加わるせん断応力を緩和する役割を果たしている。
【００３３】
次に、本発明の伝熱板８による効果について図１０を用いて説明する。図１０（ａ）は従来の断熱容器の１つの面での熱漏洩のイメージを示す図であり、図１０（ｂ）は本発明の断熱容器１の１つの面での熱漏洩のイメージを示す図である。なお図１０では、断熱材７３，７３ｂとして発泡ウレタンを用いた場合を示している。また、図に示す矢印が熱の移動方向を示している。また、内郭部材５及び外郭部材６，６ｂは樹脂部材とし、伝熱板８及び内郭部材５ｂ（伝熱板８ｂ）はアルミ板とする。
図１０（ａ）に示すように、従来構成では内郭部材５ｂ自体が伝熱板８ｂを構成しており、断熱材７３ｂと直接接触している。そのため、庫内では、内郭部材５の表面でしか熱交換を行うことができないことになる。一方、図１０（ｂ）に示すように、本発明の構成では、内郭部材５と伝熱板８とを別体とし、内郭部材５と伝熱板８との間に空間を設けている。そのため、庫内では、伝熱板８の両面で熱交換を行うことができ、図１０（ａ）に対して冷却性能が向上する。
【００３４】
また、図１０（ａ）に示す従来構成では、伝熱板８ｂを構成する内郭部材５ｂと断熱材７３ｂとが直接接触しているため、この断熱材７３ｂの庫内側端面の温度が低くなり、熱漏洩が多くなる。一方、図１０（ｂ）に示す本発明の構成では、内郭部材５と伝熱板８との間に空間を設けているため、断熱材７３の庫内側端面の温度が高くなり（外気温度に近くなり）、熱漏洩が少なくなるため、冷却性能が向上する。これは、本発明の冷却性能を従来構成と同様とする場合に断熱材７３を薄くできることを意味し、電子冷蔵庫の小型化及びコストの低減が可能となる。
【００３５】
なお図１０において、本発明での伝熱板８の厚みが、従来構成の内郭部材５ｂ（伝熱板８ｂ）の厚みに対して厚いが、これは、従来構成では内郭部材５ｂの５面を伝熱板８ｂとして冷却を行っていたのに対し、本発明では２面の伝熱板８により冷却を行っているためである。
【００３６】
また、従来構成では、５面を有するアルミ製の内郭部材５ｂを用いているため、内郭部材５ｂの成形がし難く、また、容積が大きく重ねることができないため搬送に不向きであり、コストが大きくかかるという課題があった。
それに対して、本発明では、内郭部材５を樹脂部材で構成し、Ｌ字状に折り曲げたアルミ製の伝熱板８を内郭部材５に取付けるように構成したので、従来構成のように５面を有する金属製の内郭部材５ｂを成形する必要がなくなる。また、本発明の伝熱板８は、Ｌ字状に折り曲げるだけでよいため、成形が容易であり、また、重ねることもでき搬送にも向くため、従来構成に対して生産現場でのコストを低減することができる。
【００３７】
次に、露受け皿１２の構成例について説明する。
露受け皿１２は、図１２等に示すように筐体部材７の下面に前方から着脱自在に設けられ、排水筒７２を介して流れたドレン水を受ける樹脂部材から成る皿である。
図１１等に示すように、露受け皿１２の表面には、中央に前方から後方に沿った凸面１２１が設けられている。そして、この凸面１２１によって露受け皿１２の裏面に連通用風路１２２が構成される。この連通用風路１２２は、露受け皿１２が筐体部材７に取付けられた状態において通風路１０１に連通するものである。また、露受け皿１２の表面には、凸面１２１によって分断された皿部１２３，１２４が構成される。
【００３８】
なお図５（ｂ）に示すように、温度調整装置９は筐体部材７の中心位置から若干左右にずれて（図５（ｂ）では右側にずれて）配置されている。そのため、連通用風路１２２の後方側も、温度調整装置９側に誘導するような形状に構成されている。また、連通用風路１２２の前方側は、美観向上のため左右対称な形状に構成されている。
このように、連通用風路１２２を中央に設けることで、電子冷蔵庫の前方側から後方の通風路１０１へ外気を流し易くすることができ、通風路１０１における冷却効果を高めることができる。
【００３９】
なお、皿部１２３，１２４のうち一方（図１１では皿部１２３）は、露受け皿１２が筐体部材７に取付けられた状態において排水筒７２と対向する位置にあり、他方（図１１では皿部１２４）よりもドレン水の収容量を多くとれるように広く構成されている。
【００４０】
また、凸面１２１は、皿部１２３，１２４の深さに対して浅く構成されている。これは、皿部１２３でドレン水が満杯になった場合に、このドレン水を皿部１２４へ流すことができるようにするためである。なお、露受け皿１２全体でのドレン水の収容量は、従来構成に対して減ることがないように広さ及び深さが設計されている。
【００４１】
また、露受け皿１２は、筐体部材７に取付けられた状態において、断熱容器１のガスケット密着面５３の位置よりも突出する長さに構成されている。これは、ガスケット密着面５３から露が落ちる場合があり、この露を受け止めて電子冷蔵庫の設置面に垂れるのを防止するためである。
【００４２】
また、露受け皿１２の後壁は、筐体部材７に取付けられた状態において、筐体部材７との間の隙間がなくなるような高さに設計される。これは、露受け皿１２の前方側が外部に開放された状態となっているため、露受け皿１２と筐体部材７との間を通過した空気がフィルタ１２６を通らずに通風路１０１へ入り込むことを防止するためである。なお、取付け性を向上させるため、若干の隙間は許容される。
また、露受け皿１２には、両側面に、前脚部６４及び後脚部６５の段差部６４２，６５１によりガイドされるガイド部１２５が設けられている。
【００４３】
また、露受け皿１２の後部には、樹脂部材から成るフィルタ１２６が回動可能に取付けられている。このフィルタ１２６は、露受け皿１２が筐体部材７に取付けられた状態において、吸込口１０２に対向配置され、吸込口１０２を介して通風路１０１内に流入する空気から埃等の異物を除去するものである。なお、このフィルタ１２６は、露受け皿１２に対して水平方向より下方には回転しないように構成されている。
【００４４】
そして、図６（ａ）等に示すように、露受け皿１２を筐体部材７の下面に挿入すると、フィルタ１２６は吸込口１０２を有する背面カバー１０の下面の傾斜に沿って上方に案内され、吸込口１０２に対向配置される。また、フィルタ１２６を取外す場合には、露受け皿１２を前方へ引き抜けばよい。よって、電子冷蔵庫が壁や家具内に設置されて、前面扉２側からしかメンテナンスできないような場合でも、フィルタ１２６を容易に着脱して清掃を行うことができる。また、フィルタ１２６が吸込口１０２に沿って上方へ傾斜して配置されるため、フィルタ１２６と床面との距離を離すことができ、電子冷蔵庫の設置面に堆積した埃等の異物を吸い込み難くなり、フィルタ１２６の清掃が必要となる期間を長くできる。
【００４５】
次に、本発明の露受け皿１２による効果について図１３を用いて説明する。図１３は本発明の電子冷蔵庫を前面が開放された家具（収納容器）２００に収納した場合を示す図である。
ホテル又は病院等に設けられる電子冷蔵庫を収納するための家具２００には、図１３に示すように、前方及び後方に、通気を行うための通気口２０１，２０２が設けられていることが多い。
【００４６】
一方、従来の電子冷蔵庫では、背面側に吸込口と排気口が設けられているのみであり、排気口から排気した空気（熱気）を吸込口から再び吸い込んでしまうことになる。よって、ヒートシンクの冷却効率が下がり、また、基板収納箱の温度も高くなるため基板寿命が短くなるという課題があった。
【００４７】
それに対して、本発明の電子冷蔵庫では、露受け皿１２の裏面の中央に、前方側から後方の通風路１０１まで導く連通用風路１２２を設けている。これにより、電子冷蔵庫が家具２００に収納された場合であっても、家具２００の前方の通気口２０１から流入した空気が連通用風路１２２を通って背面の吸込口１０２に流入する。そして、通風路１０１を通過して上部の排気口１０３から排出された後、家具２００の後方の通気口２０２から外部に排出される。よって、従来構成に対して、効率よくヒートシンク９３を冷却でき、温度調整装置９の冷却性能の向上及び省エネ効果が見込める。また、基板温度も下げることができるため、電源基板１４の寿命低下を抑制できる。
【００４８】
なお、従来構成では、金属製の内郭部材を用いていたため、成形の制約により、排水筒の位置を中央付近とする必要があった。それに対して、本発明では、内郭部材５を樹脂部材で構成することで排水筒７２の位置を自由に設計可能となり、端の位置に寄せて構成することが可能となる。そのため、露受け皿１２の中央に凸面１２１を設けて連通用風路１２２を形成することが可能となり、外気を吸い込み易い構成とすることができる。
【００４９】
また、従来構成では、吸込口及び排気口が背面側の左右に配置されている。それに対して、本発明では、ヒートシンク９３、基板収納箱１５及び送風ファン１１の配置を変更し、下部に吸込口１０２を設けて、上部に排気口１０３を設けた。これにより、電子冷蔵庫が家具２００に収納された場合であっても通風し易い構成とすることができる。その結果、効率よくヒートシンク９３を冷却することができ、温度調整装置９の冷却性能の向上及び省エネ効果が見込める。また、基板収納箱１５の温度上昇も抑制することができるため、電源基板１４の長寿命化を図ることができる。
また、送風ファン１１を斜めに配置することで、家具２００の通気口２０２から埃等の異物が落ちた場合にも、通風路１０１内に当該異物が入り込むことを防止することができる。
【００５０】
次に、照明装置１３の構成例について説明する。
照明装置１３は、ＬＥＤ１３１１を有し、内郭部材５の庫内天面の前方に取付けられて、庫内を照らすものである。また、この照明装置１３は、各部（温度調整装置９、送風ファン１１及びＬＥＤ１３１１）の運転を連動して切替える運転スイッチ機能も備えている。この照明装置１３は、図１４，１５に示すように、配線基板１３１、基板保持器１３２、押し棒１３３及び基板収納容器１３４を有している。
【００５１】
配線基板１３１には、図１５（ａ）に示すように、光を発光するＬＥＤ１３１１と、ＬＥＤ１３１１の点灯及び消灯を切替えるリードスイッチ１３１２と、電源が投入された状態において上記各部の運転を連動して切替えるタクタイルスイッチ１３１３とが実装されている。また、配線基板１３１は、配線接続部１３１４を介して基板収納箱１５に収納された電源基板１４と接続される。
【００５２】
また、リードスイッチ１３１２は、前面扉２の背面に取付けられたマグネット２２からの磁界を受けて接点接続の切替えを行う。すなわち、図６に示すように、リードスイッチ１３１２は、前面扉２が閉じている場合にはＬＥＤ１３１１を消灯させ、前面扉２が開いている場合にはＬＥＤ１３１１を点灯させる。
またここでは、タクタイルスイッチ１３１３を用いた場合を例に説明を行うが、自己復帰型のプッシュスイッチであればよい。なお、この自己復帰型のプッシュスイッチとは、例えば、スイッチを押すと開いていたスイッチの接点が閉じた状態になりスイッチを押し続けている間は接点が閉じた状態のままで、スイッチを押すのを止めれば閉じていた接点が開いて元の状態に戻る物であったり、また、スイッチを押すと閉じていた接点が開いた状態になりスイッチを押し続けている間は接点が開いた状態のままで、スイッチを押すのを止めれば開いていた接点が閉じて元の状態に戻る物である。また、配線基板１３１の回路構成例を図１６に示す。
【００５３】
基板保持器１３２は、図６（ｂ）等に示すように、照明装置１３が取付け部５６に取付けられた状態においてＬＥＤ１３１１が庫内奥面側を向くように、配線基板１３１を斜めに保持するものである。このように、配線基板１３１を斜めに保持することで、庫内を奥まで照らすことができる。
但し、傾き角が大きくなると、庫内での照明装置１３の突出量が大きくなり、また、リードスイッチ１３１２の感度も低下するため、配線基板１３１の傾き角度は２０〜４０°とする（図６（ｂ）では３０°としている）。また、照明装置１３の突出量は、内郭部材５に取付けられた伝熱板８の上面の位置までの範囲内とする。照明装置１３を庫内天面から突出させることで、電子冷蔵庫を前方から見た際に伝熱板８の端部を部分的に目立たなくすることができ、見栄えをよくすることができる。
【００５４】
また、図１５（ａ）等に示すように、基板保持器１３２には、ＬＥＤ１３１１と対向する箇所に、ＬＥＤ１３１１からの光を透過する光透過部１３２１が設けられている。この光透過部１３２１は、ＬＥＤ１３１１との対向面が開放された箱型部材である。また、基板保持器１３２には、押し棒１３３を上下に移動可能に保持する棒支持部１３２２が設けられている。また、図１５（ｂ）に示すように、棒支持部１３２２には、押し棒１３３の後述するスイッチ押下部１３３２を通す貫通孔１３２３が設けられている。
【００５５】
押し棒１３３は、基板保持器１３２の棒支持部１３２２に収納され、照明装置１３が取付け部５６に取付けられた状態において、スタッフ等により上方向に押されることでタクタイルスイッチ１３１３を押す棒である。この押し棒１３３は、被支持部１３３１、スイッチ押下部１３３２及び被押下部１３３３を有している。
【００５６】
被支持部１３３１は、円板上に構成され、基板保持器１３２の棒支持部１３２２と基板収納容器１３４との間で上下にスライド可能に保持されるものである。
被押下部１３３３は、基板収納容器１３４の後述する貫通孔１３４２を介して外部に露出し、スタッフ等により押されるものである。
【００５７】
スイッチ押下部１３３２は、棒支持部１３２２の貫通孔１３２３を介してタクタイルスイッチ１３１３に対向し、被押下部１３３３が押されて押し棒１３３がタクタイルスイッチ１３１３側に移動することでタクタイルスイッチ１３１３を押すものである。このスイッチ押下部１３３２の先端は球状に構成されている。また図１４（ｂ）に示すように、押し棒１３３の軸方向はタクタイルスイッチ１３１３の中心位置から外れており、スイッチ押下部１３３２の先端がタクタイルスイッチ１３１３に触れた際にタクタイルスイッチ１３１３の中心位置に触れる位置となるように配置されている。このように、スイッチ押下部１３３２の端部を球状とし、タクタイルスイッチ１３１３との接触点（力点）をタクタイルスイッチ１３１３の中心位置とすることで、接触時の応力がタクタイルスイッチ１３１３の中心方向に働き、接触面圧が低減するため、スムーズな操作感を安定して得ることができる。
この押し棒１３３により、斜めに配置されたタクタイルスイッチ１３１３を上下運動で容易に操作することができる。
【００５８】
基板収納容器１３４は、図１５等に示すように、配線基板１３１、基板保持器１３２及び押し棒１３３を収納して、内郭部材５の取付け部５６に取付けられるものである。この基板収納容器１３４には、照明装置１３が取付け部５６に取付けられた状態において、光透過部１３２１を庫内底面及び庫内奥面に露出させる開口部１３４１が設けられている。この開口部１３４１により、ＬＥＤ１３１１からの光に指向性を持たせて庫内奥側まで効果的に照らすことができる。また、使用者等の視線には、直接光が入らないので、深夜の暗い状況であっても眩しさを感じさせることはない。
【００５９】
また、基板収納容器１３４には、押し棒１３３の被押下部１３３３を外部に露出するための貫通孔１３４２が設けられている。また、基板収納容器１３４の表面の貫通孔１３４２の周囲には、凹部１３４３が形成されている。この凹部１３４３の深さは、貫通孔１３４２からの被押下部１３３３の突出量よりも深く構成されている。すなわち、押し棒１３３の被押下部１３３３は、基板収納容器１３４の表面からは突出しない。この凹部１３４３により、使用者等による通常の使用では、押し棒１３３が直接見えない位置に配置することができる。よって、使用者等がタクタイルスイッチ１３１３の存在を意識せずに電子冷蔵庫を使用することができるとともに、タクタイルスイッチ１３１３に不用意に手や収納物が触れて運転が停止することを起き難くすることができる。また、基板収納容器１３４には、照明装置１３を取付け部５６に取付けるための係合部（図では係合爪）１３４４が設けられている。
【００６０】
次に、本発明のタクタイルスイッチ１３１３を用いた電子冷蔵庫の動作例について説明する。なおここでは、後述するタクタイルスイッチ１３１３の長押し判定は考慮せず、単にタクタイルスイッチ１３１３の押下で運転を切替える場合を例にして説明する。
電子冷蔵庫の動作例では、図１７に示すように、電源（１００Ｖ）が投入されると（ステップＳＴ１７０１）、電子冷蔵庫は自動的に温度調整装置９及び送風ファン１１の運転を開始させる（ステップＳＴ１７０２）。その後、スタッフ等によりタクタイルスイッチ１３１３が押されると（ステップＳＴ１７０３）、電子冷蔵庫は温度調整装置９及び送風ファン１１の運転を停止させる（ステップＳＴ１７０４）。その後、もう一度タクタイルスイッチ１３１３が押されると（ステップＳＴ１７０５）、電子冷蔵庫は各部（温度調整装置９、送風ファン１１及びＬＥＤ１３１１）の運転を開始させる（ステップＳＴ１７０２）。その後、電源が投入されている状態では、タクタイルスイッチ１３１３が押される度に、上記各部の運転の開始及び停止を順次切り替える。
【００６１】
一方、電源が落とされると、電子冷蔵庫は上記各部の運転を停止させる（ステップＳＴ１７０６，１７０７）。その後、電源が投入されると（ステップＳＴ１７０１）、電子冷蔵庫は必ず温度調整装置９及び送風ファン１１の運転を開始させる（ステップＳＴ１７０２）。すなわち、タクタイルスイッチ１３１３により上記各部の運転を停止させている状態（待機状態）で電源が落とされ、その後電源が投入された場合であっても、待機状態からは動作を開始しない（タクタイルスイッチ１３１３は自己状態を保持しない）。
【００６２】
次に、本発明の照明装置１３による効果について説明する。
従来の電子冷蔵庫では、前面に設けられたロッカースイッチを用いて、ペルチェ素子による冷却運転を切替え可能とするものが存在する。このロッカースイッチにより、電子冷蔵庫の電源を抜き差しすることなく冷却運転を切替えることができ、節電に寄与することができる。しかしながら、ロッカースイッチは自己保持型のスイッチであり、電源の抜き差しに関係なく、ロッカースイッチがオフの場合には冷却運転が停止されることになる。一方、一般的な冷蔵庫では、ロッカースイッチは存在せず、電源を抜き差しで運転を切替えている。そのため、スタッフ等がロッカースイッチを入れ忘れた場合や、電子冷蔵庫に慣れていない使用者等が誤ってロッカースイッチをオフにしてしまった場合等では、使用者等が電源を抜き差ししても冷却運転を再開させることができず、クレームが発生する恐れがあるという課題があった。また、上記ロッカースイッチに代えて、人の存在を検知する光センサを用いて、人が存在する場合に冷却運転をさせる電子冷蔵庫も存在するが、コストが高いという課題があった。
【００６３】
それに対して、本発明では、自己復帰型のプッシュスイッチ（タクタイルスイッチ１３１３）を庫内天面に設けられた照明装置１３に実装している。これにより、電源を抜き差しすることなく運転を切替えることができ、且つ電源を投入した際には運転が開始させることができる。すなわち、例えば、スタッフ等がタクタイルスイッチ１３１３を入れ忘れたとしても使用者等が一般の冷蔵庫と同様に電源を再投入するだけで、運転を開始させることができる。また、電源再投入による遠隔強制運転も可能となる。
【００６４】
また、タクタイルスイッチ１３１３を照明装置１３に実装することで、タクタイルスイッチ１３１３を見え難くすることができ、スタッフ等による操作のし易さは損なうことなく、使用者等による誤操作を回避することができる。また、意匠性を高めることもできる。また、タクタイルスイッチ１３１３は、ロッカースイッチ及び光センサに比べて低コストである。また、タクタイルスイッチ１３１３をＬＥＤ１３１１が接続された配線基板１３１に実装することで、１枚の基板でコンパクトに構成することができる。また、タクタイルスイッチ１３１３が、温度調整装置９及びＬＥＤ１３１１の運転を連動して切替えることで、照明装置１３に運転ランプの機能を持たすことができ、スタッフ等が温度調整装置９の運転状況を把握し易くすることができる。
【００６５】
次に、電源基板１４の構成例について説明する。
電源基板１４は、図１８に示すように、時定数フィルタ１４１、ラッチ回路１４２、制御回路１４３及び電源回路１４４を有している。
【００６６】
時定数フィルタ１４１は、タクタイルスイッチ１３１３の押下時間が規定時間より長い場合に、信号を出力するものである。時定数フィルタ１４１としてはコンデンサを用いることができる。図１８の例では、単一の時定数フィルタ１４１を用いて、規定時間Ｔを例えば１秒とする。
【００６７】
ラッチ回路１４２は、時定数フィルタ１４１から出力された信号を受けて、出力信号（Ｈ又はＬ）を切替えるものである。この出力信号を切替えることで、運転開始と運転停止を指示する。図１８の例では、ラッチ回路１４２は、時定数フィルタ１４１からの信号を受ける度に出力信号を切替える。このラッチ回路１４２によって、押し棒１３３の操作による運転制御が可能となる。
【００６８】
制御回路１４３は、電源の抜き差し及びラッチ回路１４２からの信号に応じて、電源回路１４４を制御するものである。
電源回路１４４は、制御回路１４３による制御に従い、各部（温度調整装置９、送風ファン１１、ＬＥＤ１３１１）に駆動電圧を印加するものである。
【００６９】
次に、図１８の電源基板１４による動作例について説明する。
図１８の電源基板１４による動作例では、図１９に示すように、まず、時定数フィルタ１４１は、タクタイルスイッチ１３１３の押下時間ａが規定時間Ｔより長い場合に、信号を出力する。すなわち、タクタイルスイッチ１３１３の押下時間ａが規定時間Ｔ以下の場合には、運転切替えは実施されない。これにより、使用者等が収納物の出し入れ等においてタクタイルスイッチ１３１３に意図せずに触れてしまった場合にも誤操作を回避することができる。      
【００７０】
次いで、ラッチ回路１４２は、時定数フィルタ１４１からの信号を受ける度に、出力信号（Ｈ又はＬ）を切替えて出力する。
次いで、制御回路１４３は、電源の抜き差し及びラッチ回路１４２からの信号に応じて、電源回路１４４を制御する。
次いで、電源回路１４４は、制御回路１４３からの制御に従い、各部（温度調整装置９、送風ファン１１、ＬＥＤ１３１１）に駆動電圧を印加する。なお、ＬＥＤ１３１１は、温度調整装置９及び送風ファン１１と連動してオン状態となっている場合でも、前面扉２が開いている場合にのみ点灯し、前面扉２を閉じた場合には消灯する。
【００７１】
次に、制御回路１４３の、温度調整装置９の制御に関する構成例について説明する。
制御回路１４３は、図２０に示すように、温度調整装置９を制御する回路として、温度判定部１４３１及び運転切替え部１４３２を有している。
【００７２】
温度判定部１４３１は、庫内に設置された温度センサ（不図示）から庫内温度を示すデータを取得し、庫内温度が目標温度に達したかを判定するものである。
【００７３】
運転切替え部１４３２は運転モードを切替えるものである。運転モードとしては、通常モードと、目標温度を、庫内温度が通常モードでの目標温度を超える温度に設定した初期モードとがある。そして、運転切替え部１４３２は、電源が投入された場合及びラッチ回路１４２から運転開始を指示する信号が入力された場合には、運転モードを初期モードとする。一方、初期モードで動作後、温度判定部１４３１により庫内温度が目標温度に達したと判定された場合には、運転モードを通常モードに切替える。
また、電源回路１４４は、温度判定部１４３１による温度判定結果に応じて、温度調整装置９に対して駆動電圧を印加する。
【００７４】
次に、制御回路１４３及び電源回路１４４による温度調整装置９の制御動作例について説明する。なおここでは、通常モードでの目標温度を６℃とし、初期モードでの目標温度を５℃とした場合を示す。
制御回路１４３及び電源回路１４４による温度調整装置９の制御動作例では、図２１に示すように、まず、電源が投入された場合及びラッチ回路１４２から運転開始を指示する信号が入力された場合に、電源回路１４４は送風ファン１１を駆動させ、また、運転切替え部１４３２は運転モードを初期モードに切替える（ステップＳＴ２１０１）。すなわち、目標温度を通常モードでの目標温度（６℃）よりも低い温度（５℃）に設定する。
【００７５】
次いで、電源回路１４４は、制御回路１４３の温度判定部１４３１による温度判定結果に応じて、温度調整装置９に対して駆動電圧を印加する（ステップＳＴ２１０２）。
【００７６】
また、温度判定部１４３１は、庫内に設置された温度センサから庫内温度を示すデータを取得し、庫内温度が目標温度（５℃）に達したかを判定する（ステップＳＴ２１０３）。このステップＳＴ２１０３において庫内温度が目標温度（５℃）に達していないと判定された場合には、シーケンスはステップＳＴ２１０２に戻り、庫内温度が目標温度（５℃）となるまでステップＳＴ２１０２，２１０３の処理を繰り返す。
【００７７】
一方、ステップＳＴ２１０３において庫内温度が目標温度（５℃）に達したと判定された場合には、運転切替え部１４３２は運転モードを通常モードに切替える（ステップＳＴ２１０４）。すなわち、目標温度を６℃に設定する。
その後、通常モードで温度調整装置９を運転させる（ステップＳＴ２１０５）。すなわち、温度判定部１４３１は、庫内温度が目標温度（例えば６℃）に達したかを判定し、電源回路１４４は、その温度判定結果に応じて、温度調整装置９に対して駆動電圧を印加する。
【００７８】
図２２はこの発明の実施の形態１における制御回路１４３及び電源回路１４４による温度調整装置９の制御動作例を示す図である。図２２において、実線は通常モードでの出力電圧特性を示し、破線は初期モードでの出力電圧特性を示している。
ここで、従来の電子冷蔵庫では、冷却を開始してから庫内温度を目標温度まで冷却するには十分な時間が必要となる。それに対して、本発明では、冷却を開始すると、まず、初期モードで動作して、通常の目標温度よりも低い温度で動作する。これにより、通常モードでの目標温度まで素早く到達させることができ、また、省エネにも繋がる。
【００７９】
なお上記では、運転開始を指示する場合と運転停止を指示する場合において、タクタイルスイッチ１３１３を同じ時間長押しするように構成した場合を示した。それに対して、運転開始を指示する場合と運転停止を指示する場合とで、タクタイルスイッチ１３１３の押下時間を変えてもよい。
この場合、例えば図２３に示すように、２つの時定数フィルタ１４１ａ，１４１ｂを用いて、それぞれの規定時間を異なる値に設定する。この際、運転開始を指示する場合の規定時間Ｔ１（例えば０．１〜１秒）に対して、運転停止を指示する場合の規定時間Ｔ２（例えば１〜３秒）を長く設定する。
【００８０】
また、ラッチ回路１４２は、時定数フィルタ１４１ａからの信号を受け且つ時定数フィルタ１４１ｂからの信号を受けていない場合には運転開始を指示する出力信号を出力し、両方の時定数フィルタ１４１ａ，１４１ｂからの信号を受けた場合には運転停止を指示する出力信号を出力する。
【００８１】
次に、図２４の電源基板１４による動作例について説明する。
図２３の電源基板１４による動作例では、図２４に示すように、まず、時定数フィルタ１４１ａは、タクタイルスイッチ１３１３の押下時間ａが規定時間Ｔ１より長い場合に、信号を出力する。また、時定数フィルタ１４１ｂは、タクタイルスイッチ１３１３の押下時間ａが規定時間Ｔ２より長い場合に、信号を出力する。すなわち、タクタイルスイッチ１３１３の押下が規定時間Ｔ１以下の場合には運転が開始されず、タクタイルスイッチ１３１３の押下が規定時間Ｔ２以下の場合には運転が停止されない。これにより、使用者等が収納物の出し入れ等においてタクタイルスイッチ１３１３に意図せずに触れてしまった場合にも誤操作を回避することができるとともに、スタッフ等が運転を開始させる場合には素早く操作を行うことができる。
【００８２】
次いで、ラッチ回路１４２は、時定数フィルタ１４１ａからの信号を受け且つ時定数フィルタ１４１ｂからの信号を受けていない場合には運転開始を指示する出力信号を出力し、両方の時定数フィルタ１４１ａ，１４１ｂからの信号を受けた場合には運転停止を指示する出力信号を出力する。
次いで、制御回路１４３は、電源の抜き差し及びラッチ回路１４２からの信号に応じて、電源回路１４４を制御する。
次いで、電源回路１４４は、制御回路１４３からの制御に従い、各部（温度調整装置９、送風ファン１１、ＬＥＤ１３１１）に駆動電圧を印加する。なお、ＬＥＤ１３１１は、温度調整装置９及び送風ファン１１と連動してオン状態となっている場合でも、前面扉２が開いている場合にのみ点灯し、前面扉２を閉じた場合には消灯する。
【００８３】
なお上記では、電子保存庫として、保冷を行う電子冷蔵庫を用いて説明を行った。しかしながら、これに限るものではなく、保温を行う電子温蔵庫に対しても本発明の構成を同様に適用することが可能である。
また、露受け皿１２、照明装置１３及び電源基板１４については、上記のような電子保存庫に限らず、通常の圧縮機を有する温度調整装置９を用いて保冷又は保温を行う保存庫にも同様に適用することができる。
【００８４】
以上のように、この実施の形態１によれば、前面が開放された箱型部材である筐体部材７と、筐体部材７に取付けられた温度調整装置９と、発光素子（ＬＥＤ１３１１）を有し、筐体部材７の庫内天面の前方に取付けられた照明装置１３とを備え、照明装置１３は、電源が投入された状態において温度調整装置９の運転を切替える自己復帰型のプッシュスイッチ（タクタイルスイッチ１３１３）を有するので、安価な構成で、電源を抜き差しすることなく運転を切替えることができ、且つ電源を投入した際に運転を開始させることができる。また、プッシュスイッチを照明装置１３に実装することで、プッシュスイッチを見え難くすることができ、スタッフ等以外の使用者等による誤操作を回避することができる。
【００８５】
また、照明装置１３は、発光素子及びプッシュスイッチが実装され、照明装置１３が筐体部材７に取付けられた状態において当該発光素子が当該筐体部材７の庫内奥面側を向くように、斜めに配置された配線基板１３１を有するので、庫内を奥まで照らすことができ、また、発光素子の放熱が行い易くなる。また、プッシュスイッチを発光素子が接続された配線基板１３１に実装することで、１枚の基板でコンパクトに構成することができる。また、プッシュスイッチを照明装置１３に実装することで、プッシュスイッチを見え難くすることができ、スタッフ等による操作のし易さは損なうことなく、使用者等による誤操作を回避することができる。また、意匠性を高めることもできる。
【００８６】
また、照明装置１３は、照明装置１３が筐体部材７に取付けられた状態において、上方向に押されることでプッシュスイッチを押す押し棒１３３を有するので、基板保持器１３２により斜めに配置されたプッシュスイッチを上下運動で操作することができる。
【００８７】
また、押し棒１３３は、プッシュスイッチを押す端部が球状に構成され、当該端部が当該プッシュスイッチに触れた際に当該プッシュスイッチの中心位置に触れる位置に配置されたので、押し棒１３３のスイッチ押下部１３３２とプッシュスイッチとの接触点（力点）をプッシュスイッチの中心位置とすることで、接触時の応力がタクタイルスイッチ１３１３の中心方向に働き、接触面圧が低減するため、スムーズな操作感を安定して得ることができる。
【００８８】
また、照明装置１３は、発光素子に被せられ、当該発光素子により発光された光を透過する光透過部１３２１と、照明装置１３が筐体部材７に取付けられた状態において、光透過部１３２１を当該筐体部材７の庫内底面及び庫内奥面に露出させる開口部１３４１を有する基板収納容器１３４とを有するので、ＬＥＤ１３１１からの光に指向性を持たせて庫内奥側まで効果的に照らすことができる。また、使用者等の視線には、直接光が入らないので、深夜の暗い状況であっても眩しさを感じさせることがなくなる。
【００８９】
また、Ｌ字状の金属板から成り、筐体部材７の庫内天面及び庫内奥面に対して対流可能な隙間を設けられて温度調整装置９の伝熱面に接合された伝熱板８を備え、照明装置１３は、筐体部材７の庫内天面に対向配置された伝熱板８の面の位置までの範囲内で、当該庫内天面から突出したので、保存庫を前方から見た場合に伝熱板８の端部を部分的に目立たなくすることができ、見栄えをよくすることができる。
【００９０】
また、プッシュスイッチは、温度調整装置９及び発光素子の運転を連動して切替えるので、照明装置１３に運転ランプの機能を持たすことができ、スタッフ等が温度調整装置９の運転状況を把握し易くすることができる。
【００９１】
また、プッシュスイッチの押下時間が規定時間以上の場合に信号を出力する時定数フィルタ１４１と、時定数フィルタ１４１から出力された信号を受けて、出力信号を切替えるラッチ回路１４２と、温度調整装置９に駆動電圧を印加する電源回路１４４と、電源の抜き差し及びラッチ回路１４２からの信号に応じて、電源回路１４４を制御する制御回路１４３とを備えたので、使用者等がプッシュスイッチに意図せずに触れてしまった場合にも誤操作を回避することができる。
【００９２】
また、時定数フィルタ１４１は１つ設けられ、ラッチ回路１４２は、時定数フィルタ１４１からの信号を受ける度に出力信号を切替えるので、使用者等がプッシュスイッチに意図せずに触れてしまった場合にも誤操作を回避することができる。
【００９３】
また、時定数フィルタ１４１は２つ設けられて規定時間が異なる値に設定され、ラッチ回路１４２は、規定時間の短い時定数フィルタ１４１ａからの信号を受け且つ規定時間の長い時定数フィルタ１４１ｂからの信号を受けていない場合には運転開始を指示する出力信号を出力し、両方の時定数フィルタ１４１ａ，１４１ｂからの信号を受けた場合には運転停止を指示する出力信号を出力するので、運転停止の誤操作を抑制することができるとともに、運転開始をする場合には素早く操作を行うことが可能となる。
【００９４】
また、制御回路１４３は、筐体部材７の庫内温度が目標温度に達したかを判定する温度判定部１４３１と、電源が投入された場合及びラッチ回路１４２から運転開始を指示する信号が入力された場合には、運転モードを、庫内温度が通常モードでの目標温度を超える目標温度（保冷の場合には低い温度、保温の場合には高い温度）に設定した初期モードとし、当該初期モードで動作後、温度判定部１４３１により庫内温度が目標温度に達したと判定された場合には、運転モードを通常モードとする運転切替え部１４３２とを備え、電源回路１４４は、温度判定部１４３１による温度判定結果に応じて、温度調整装置９に対して駆動電圧を印加するので、初期モードを設けることで、通常モードでの目標温度まで素早く到達させることができ、また、省エネにも繋がる。
【００９５】
また、本願発明はその発明の範囲内において、実施の形態の任意の構成要素の変形、もしくは実施の形態の任意の構成要素の省略が可能である。
【符号の説明】
【００９６】
１  断熱容器、２  前面扉、３  ヒンジ機構、４  回転機構、５  内郭部材、６  外郭部材、７  筐体部材、８  伝熱板、９  温度調整装置、１０  背面カバー、１１  送風ファン、１２  露受け皿、１３  照明装置、１４  電源基板、１５  基板収納箱、２１  ガスケット、２２  マグネット、５１  挿入口、５２  カバー、５３  ガスケット密着面、５４  収容溝部、５５  支持部、５６  取付け部、５７  棚、５８  溝部、６１  外郭板金、６２  天板、６３  背面板、６４  前脚部、６５  後脚部、６６  注入口、７１  挿入孔、７２  排水筒、７３  断熱材、８１  ネジ穴、８２  支持穴、９１  ペルチェ素子、９２  伝熱ブロック、９３  ヒートシンク、９４  固定ネジ、９５  ゴム板、１０１  通風路、１０２  吸込口、１０３  排気口、１２１  凸面、１２２  連通用風路、１２３，１２４  皿部、１２５  ガイド部、１２６  フィルタ、１３１  配線基板、１３２  基板保持器、１３３  押し棒、１３４  基板収納容器、１４１  時定数フィルタ、１４２  ラッチ回路、１４３  制御回路、１４４  電源回路、２００  家具、２０１，２０２  通気口、６４１  挿入穴、６４２  段差部、６５１  段差部、１３１１  ＬＥＤ、１３１２  リードスイッチ、１３１３  タクタイルスイッチ、１３１４  配線接続部、１３２１  光透過部、１３２２  棒支持部、１３２３  貫通孔、１３３１  被支持部、１３３２  スイッチ押下部、１３３３  被押下部、１３４１  開口部、１３４２  貫通孔、１３４３  凹部、１３４４  係合部、１４３１  温度判定部、１４３２  運転切替え部。
【要約】
【課題】安価な構成で、電源を抜き差しすることなく運転を切替えることができ、且つ電源を投入した際には運転を開始させる。
【解決手段】前面が開放された箱型部材である筐体部材７と、筐体部材７に取付けられた温度調整装置９と、発光素子（ＬＥＤ１３１１）を有し、筐体部材７の庫内天面の前方に取付けられた照明装置１３とを備え、照明装置１３は、電源が投入された状態において温度調整装置９の運転を切替える自己復帰型のプッシュスイッチ（タクタイルスイッチ１３１３）を有する。
【選択図】図３【図１】
0006038249.tif 000002
【図２】
0006038249.tif 000003
【図３】
0006038249.tif 000004
【図４】
0006038249.tif 000005
【図５】
0006038249.tif 000006
【図６】
0006038249.tif 000007
【図７】
0006038249.tif 000008
【図８】
0006038249.tif 000009
【図９】
0006038249.tif 000010
【図１０】
0006038249.tif 000011
【図１１】
0006038249.tif 000012
【図１２】
0006038249.tif 000013
【図１３】
0006038249.tif 000014
【図１４】
0006038249.tif 000015
【図１５】
0006038249.tif 000016
【図１６】
0006038249.tif 000017
【図１７】
0006038249.tif 000018
【図１８】
0006038249.tif 000019
【図１９】
0006038249.tif 000020
【図２０】
0006038249.tif 000021
【図２１】
0006038249.tif 000022
【図２２】
0006038249.tif 000023
【図２３】
0006038249.tif 000024
【図２４】
0006038249.tif 000025